(57)【特許請求の範囲】
【請求項１】
中心導体の外周に絶縁体を介して編組の外部導体が組み込まれたケーブルが接続される電気コネクタであって、金属製筒体のコネクタボディー部と、当該コネクタボディー部の筒内にインシュレータを介して装着されると共に、その一端に前記ケーブルの中心導体が接続される内部コンタクト部と、前記ケーブルの外部導体上に嵌め込まれて前記内部コンタクト部とは反対側の後端部側に半田付けされると共に、前記内部コンタクト部側の鍔部を当接させて前記コネクタボディー部の筒内に装着されて当該コネクタボディー部と導通される金属製スリーブと、前記ケーブルの外周に嵌め込まれると共に、前記コネクタボディー部の筒内に装着されてその拡径装着部の端面を前記金属製スリーブの鍔部に当接させて当該金属製スリーブを固定する一方、前記拡径装着部内に前記金属製スリーブ後端部の半田付け部分を収納させる保護スリーブ兼用固定部とからなることを特徴とする電気コネクタ。
【請求項２】
中心導体の外周に絶縁体を介して編組の外部導体が組み込まれたケーブルが接続される電気コネクタであって、金属製筒体のコネクタボディー部と、当該コネクタボディー部の筒内にインシュレータを介して装着されると共に、その一端に前記ケーブルの中心導体が接続される内部コンタクト部と、当該内部コンタクト部の外周に位置して前記コネクタボディー部に装着される外部コンタクト部と、前記ケーブルの外部導体上に嵌め込まれて前記内部コンタクト部とは反対側の後端部側に半田付けされると共に、前記内部コンタクト部側の鍔部を当接させて前記コネクタボディー部の筒内に装着されて当該コネクタボディー部と導通される金属製スリーブと、前記ケーブルの外周に嵌め込まれると共に、前記コネクタボディー部の筒内に装着されてその拡径装着部の端面を前記金属製スリーブの鍔部に当接させて前記金属製スリーブを固定する一方、前記拡径装着部内に前記金属製スリーブ後端部の半田付け部分を収納させる保護スリーブ兼用固定部とからなることを特徴とする電気コネクタ。
【発明の詳細な説明】
【０００１】
【発明の属する技術分野】
本発明は、ケーブルの外部導体の半田付け部分の保護を図るようにした電気コネクタに関するものである。
【０００２】
【従来の技術】
例えばアンテナー用の信号ケーブルにおいて、中心導体の外周に絶縁体を介して編組からなる外部導体が組み込まれたケーブルがある。
このようなケーブルＣの一例を示すと、図３の如くで、中心導体Ｃ1 の外周には絶縁体Ｃ2 を介して編組からなる外部導体Ｃ3 が組み込まれ、その外側には、樹脂製の外皮Ｃ4 が被覆されている。
このケーブルＣは、例えば図４〜図５に示したような、電気コネクタ１００Ａ，２００Ａに接続して用いられる。
【０００３】
上記電気コネクタ１００Ａは、例えば電気機器側に取り付けられるもので、取付け穴などの形成された鍔部１１１を有する金属製筒体のコネクタボディー部１１０と、当該コネクタボディー部１１０の筒内に筒形のインシュレータ（絶縁体）１２０を介して装着されると共に、その一端の長手方向の細穴１３１にケーブルＣの中心導体Ｃ1 が接続され、かつ、反対側の他端には割り溝などによって弾性的に拡径することができる細穴１３２がある内部コンタクト部１３０と、上記ケーブルＣの編組の外部導体Ｃ3 上に嵌め込まれて、その後端部との間に半田１４０が盛られて半田付けされると共に、上記コネクタボディー部１１０の筒内の雌ネジ部１１２にその鍔部１５１の外周に設けた雄ネジ部１５２を介して装着されて、上記ネクタボディー部１１０と導通される金属製サブボディー部１５０と、同じく上記コネクタボディー部１１０の筒内の雌ネジ部１１２にその外周に設けた雄ネジ部１６１を螺合させると共に、上記金属製サブボディー部１５０の鍔部１５１を押圧するリング状のナット部材１６０などからなる。
【０００４】
一方、電気コネクタ２００Ａは、例えば上記電気コネクタ１００Ａと装着されるもので、金属製筒体のコネクタボディー部２１０と、上記コネクタボディー部２１０の筒内に筒形のインシュレータ（絶縁体）２２０を介して装着されると共に、その一端の長手方向の細穴２３１にケーブルＣの中心導体Ｃ1 が接続され、かつ、反対側の他端には長手方向に延びる針棒状の先端部２３２がある内部コンタクト部２３０と、当該内部コンタクト部２３０の外周に位置して上記コネクタボディー部２１０の筒内に装着される筒形で割り溝などによって弾性的に拡径することができる金属製の外部コンタクト部２８０と、上記ケーブルＣの編組の外部導体Ｃ3 上に嵌め込まれて、その後端部との間に半田２４０が盛られて半田付けされると共に、上記コネクタボディー部２１０の筒内の雌ネジ部２１１にその鍔部２５１の外周に設けた雄ネジ部２５２を介して装着されて、上記ネクタボディー部２１０と導通される金属製サブボディー部２５０と、同じく上記コネクタボディー部２１０の筒内の雌ネジ部２１１にその外周に設けた雄ネジ部２６１を螺合させると共に、上記金属製サブボディー部２５０の鍔部２５１を押圧するリング状のナット部材２６０と、上記コネクタボディー部２１０の前端部側に連結部材２９１を介して回転自在に装着された金属製のカップリング（連結操作部）２９０などからなる。
【０００５】
この電気コネクタ２００Ａのカップリング２９０を、上記電気コネクタ１００Ａのコネクタボディー部１１０の開口側に嵌め込み、その内側の雌ネジ部２９２を、電気コネクタ１００Ａのコネクタボディー部１１０の外周の雄ネジ部１１３部分に螺着させれば、電気コネクタ２００Ａの内部コンタクト部２３０のニードル部２３２が、電気コネクタ１００Ａの内部コンタクト部１３０の細穴１３２に差し込まれると共に、電気コネクタ２００Ａの筒形の外部コンタクト部２８０が電気コネクタ１００Ａのコネクタボディー部１１０の開口側に摺接されて、電気的に接続されるようになっている。
なお、このような接続において、電気コネクタ１００Ａの場合、コネクタボディー部１１０の開口側自体が外部コンタクト部を兼用している。
【０００６】
【発明が解決しようとする課題】
ところが、上記のような電気コネクタ１００Ａ，２００Ａの場合、いずれもケーブルＣの外部導体Ｃ3 の半田付け部分が金属製サブボディー部１５０，２５０の後端外側部分にあって、外部に露出し、しかも、この部分は、ケーブルＣの取り扱い中などに曲げなどの外力が作用する部分（負荷が掛かる部分）であるため、外部導体Ｃ3 や半田付け部分が損傷し易く、かつまた、安定した導通が損なわれ易いという問題があった。
【０００７】
本発明は、このような問題点を解消するためになされたもので、基本的には、ケーブルの外部導体の半田付け部分をコネクタの内部に取り込み、その外側を保護スリーブ兼用固定部で覆い込んで、その損傷を防止するようにした電気コネクタを提供せんとするものである。
【０００８】
【課題を解決するための手段】
請求項１記載の本発明は、中心導体の外周に絶縁体を介して編組の外部導体が組み込まれたケーブルが接続される電気コネクタであって、金属製筒体のコネクタボディー部と、当該コネクタボディー部の筒内にインシュレータを介して装着されると共に、その一端に前記ケーブルの中心導体が接続される内部コンタクト部と、前記ケーブルの外部導体上に嵌め込まれて前記内部コンタクト部とは反対側の後端部側に半田付けされると共に、前記内部コンタクト部側の鍔部を当接させて前記コネクタボディー部の筒内に装着されて当該コネクタボディー部と導通される金属製スリーブと、前記ケーブルの外周に嵌め込まれると共に、前記コネクタボディー部の筒内に装着されてその拡径装着部の端面を前記金属製スリーブの鍔部に当接させて当該金属製スリーブを固定する一方、前記拡径装着部内に前記金属製スリーブ後端部の半田付け部分を収納させる保護スリーブ兼用固定部とからなることを特徴とする電気コネクタにある。
【０００９】
請求項２記載の本発明は、中心導体の外周に絶縁体を介して編組の外部導体が組み込まれたケーブルが接続される電気コネクタであって、金属製筒体のコネクタボディー部と、当該コネクタボディー部の筒内にインシュレータを介して装着されると共に、その一端に前記ケーブルの中心導体が接続される内部コンタクト部と、当該内部コンタクト部の外周に位置して前記コネクタボディー部に装着される外部コンタクト部と、前記ケーブルの外部導体上に嵌め込まれて前記内部コンタクト部とは反対側の後端部側に半田付けされると共に、前記内部コンタクト部側の鍔部を当接させて前記コネクタボディー部の筒内に装着されて当該コネクタボディー部と導通される金属製スリーブと、前記ケーブルの外周に嵌め込まれると共に、前記コネクタボディー部の筒内に装着されてその拡径装着部の端面を前記金属製スリーブの鍔部に当接させて前記金属製スリーブを固定する一方、前記拡径装着部内に前記金属製スリーブ後端部の半田付け部分を収納させる保護スリーブ兼用固定部とからなることを特徴とする電気コネクタにある。
【００１０】
【発明の実施の形態】
図１は、本発明に係る電気コネクタの一つの実施の形態を示したもので、この電気コネクタ１００Ｂは、基本的には上記図４に示した電気コネクタ１００Ａとほぼ同構造で、同一構成部分には、図４と同符号を付してある。
【００１１】
この電気コネクタ１００Ｂでは、比較的小型の筒形で、一端に鍔部１８１を有する金属製スリーブ１８０を、ケーブルＣの編組からなる外部導体Ｃ3 上に嵌め込み、その後端部に半田１４０を盛り込んで半田付けすると共に、コネクタボディー部１１０の筒内に装着させて、当該コネクタボディー部１１０と電気的に導通させた後、この金属製スリーブ１８０の外側を囲む形で、保護スリーブ兼用固定部１９０をコネクタボディー部１１０の筒内に装着させたものである。
【００１２】
この保護スリーブ兼用固定部１９０は、その拡径装着部１９１の外周にコネクタボディー部１１０の筒内の雌ネジ部１１２と螺着される雄ネジ部１９２を設けると共に、その拡径筒内には、上記金属製スリーブ１８０を収容する一方、その前端面で、金属製スリーブ１８０の鍔部１８１を押圧して固定している。
このとき、この保護スリーブ兼用固定部１９０とコネクタボディー部１１０との防水化を図るためには、例えば拡径装着部１９１の外周の一部に凹み溝１９３を設け、ここにＯリングなどのシール材４００を装着するとよい。
また、保護スリーブ兼用固定部１９０の後端側のナット形状などの操作部をなす小径突出部１９４は、少々長めに突出させて、ケーブルＣ部分をガイドするようにするとよい。そして、この保護スリーブ兼用固定部１９０の筒内とケーブルＣ（本例では外部導体Ｃ3 ）との間には、例えば小径突出部１９４の内面側に環状の溝１９５を設け、この溝１９５にＯリングなどのシール材４００を装着して防水化を図るとよい。
なお、この電気コネクタ１００Ｂは、コネクタボディー部１１０の鍔部１１１に形成された取付け穴（図示省略）を通じて、例えば電気機器側に取り付けられるわけであるが、その際の防水性を確保するためには、鍔部側に環状の凹み溝１１４を設け、ここにＯリングなどのシール材４００を装着するとよい。
【００１３】
いずれにして、この保護スリーブ兼用固定部１９０の採用によって、金属製スリーブ１８０とケーブルＣの外部導体Ｃ3 との半田付け部分は、コネクタ内部に収容されるため、この部分への外力の作用（外部からの負荷）がなくなり、その損傷が効果的に防止できると同時に、安定した導通が確保される。
【００１４】
図２は、本発明に係る電気コネクタの他の実施の形態を示したもので、この電気コネクタ２００Ｂは、基本的には上記図５に示した電気コネクタ２００Ａとほぼ同構造で、同一構成部分には、図５と同符号を付してある。
【００１５】
この電気コネクタ２００Ｂでは、比較的小型の筒形で、一端に鍔部３０１を有する金属製スリーブ３００を、ケーブルＣの編組からなる外部導体Ｃ3 上に嵌め込み、その後端部に半田２４０を盛り込んで半田付けすると共に、コネクタボディー部２１０の筒内に装着させて、当該コネクタボディー部２１０と電気的に導通させた後、この金属製スリーブ３００の外側を囲む形で、保護スリーブ兼用固定部３１０をコネクタボディー部２１０の筒内に装着させたものである。
【００１６】
この保護スリーブ兼用固定部３１０は、その拡径装着部３１１の外周にコネクタボディー部２１０の筒内の雌ネジ部２１１と螺着される雄ネジ部３１２を設けると共に、その拡径筒内には、上記金属製スリーブ３００を収容する一方、その前端面で、金属製スリーブ３００の鍔部３０１を押圧して固定している。
このとき、この保護スリーブ兼用固定部３１０とコネクタボディー部２１０との防水化を図るためには、例えば拡径装着部３１１の外周の一部に凹み溝３１３を設け、ここにＯリングなどのシール材４００を装着するとよい。
また、保護スリーブ兼用固定部３１０の後端側のナット形状などの操作部をなす小径突出部３１４は、少々長めに突出させて、ケーブルＣ部分をガイドするようにするとよい。そして、この保護スリーブ兼用固定部３１０の筒内とケーブルＣ（本例では外部導体Ｃ3 ）との間には、例えば小径突出部３１４の内面側に環状の溝３１５を設け、この溝３１５にＯリングなどのシール材４００を装着して防水化を図るとよい。
【００１７】
いずれにして、この保護スリーブ兼用固定部３１０の採用によって、金属製スリーブ３００とケーブルＣの外部導体Ｃ3 との半田付け部分は、コネクタ内部に収容されるようになるため、上記の電気コネクタ１００Ｂの場合と同様、この部分への外力の作用（外部からの負荷）がなくなり、その損傷が効果的に防止できると同時に、安定した導通が確保される。
【００１８】
なお、本実施の形態では、ケーブルＣの外部導体Ｃ3 が編組からなる場合であったが、本発明で用いられるケーブルは、これに限定されず、外部導体Ｃ3 がフラットな金属管（パイプ）やスパイラル形状などの金属管、さらには金属箔などからなるケーブル、外皮のないケーブルなどにも適用することがてきる。
【００１９】
【発明の効果】
以上の説明から明らかなように、本発明によると、保護スリーブ兼用固定部を採用して、金属製スリーブとケーブルの外部導体との半田付け部分をコネクタ内部に収容されるようにしてあるため、この部分への外部からの不要な外力（負荷）の作用が殆どがなくなり、従来のように、ケーブルの外部導体や半田付け部分が損傷したりすることもなく、安定した導通性のある、優れた電気コネクタが得られる。
【図面の簡単な説明】
【図１】本発明に係る電気コネクタの一例になる部分縦断側面図である。
【図２】本発明に係る電気コネクタの他の例になる部分縦断側面図である。
【図３】ケーブルの口出し状態を示した側面図である。
【図４】従来の電気コネクタの一例になる部分縦断側面図である。
【図５】従来の電気コネクタの他の例になる部分縦断側面図である。
【符号の説明】
１００Ｂ              電気コネクタ
１１０                金属製筒体のコネクタボディー部
１２０                インシュレータ（絶縁体）
１３０                内部コンタクト部
１４０                半田
１８０                金属製スリーブ
１８１                鍔部
１９０                保護スリーブ兼用固定部
１９１                拡径装着部
２００Ｂ              電気コネクタ
２１０                金属製筒体のコネクタボディー部
２２０                インシュレータ（絶縁体）
２３０                内部コンタクト部
２４０                半田
２８０                外部コンタクト部
２９０                カップリング（連結操作部）
３００                金属製スリーブ
３０１                鍔部
３１０                保護スリーブ兼用固定部
３１１                拡径装着部
Ｃ                    ケーブル
Ｃ1                   中心導体
Ｃ3                   外部導体
【図１】
0003769102.tif 000002
【図２】
0003769102.tif 000003
【図３】
0003769102.tif 000004
【図４】
0003769102.tif 000005
【図５】
0003769102.tif 000006